(57)【要約】【課題】摩擦部を用いて安定した摩擦操作が可能となり、さらに、摩擦部が手垢等で汚れることを回避でき、しかも、外観デザイン上の自由度が増加する熱変色性筆記具を提供する。【解決手段】内部に熱変色性インキを収容した筆記体９を軸筒２内に収容し、軸筒２に設けた操作体を操作して筆記体９を前後方向に移動させ、筆記体９のペン先９１を筆記具の先端から出没可能に構成した熱変色性筆記具１であって、熱変色性インキの筆跡を摩擦しその際に生じる摩擦熱で該筆跡を熱変色可能な摩擦部１０と、少なくとも一の操作体としてのクリップ体７とを備え、摩擦部１０を軸筒２の後端に設けるとともに、軸筒２における後端以外の部位にクリップ体７を設けた構成としてある。【選択図】図４
2020192816.tif 000002
【特許請求の範囲】
【請求項１】
内部に熱変色性インキを収容した筆記体を軸筒内に収容し、前記軸筒に設けた操作体を操作して前記筆記体を前後方向に移動させ、前記筆記体のペン先を筆記具の先端から出没可能に構成した熱変色性筆記具であって、
前記熱変色性インキの筆跡を摩擦しその際に生じる摩擦熱で該筆跡を熱変色可能な摩擦部と、少なくとも一の前記操作体としてのクリップ体とを備え、前記摩擦部を前記軸筒の後端に設けるとともに、前記軸筒における後端以外の部位に前記クリップ体を設けたことを特徴とする熱変色性筆記具。
【請求項２】
前記操作体として単一の前記クリップ体のみを備え、単一の前記クリップ体を操作することにより、前記筆記体のペン先を突出状態及び没入状態にすることが可能な請求項１記載の熱変色性筆記具。
【請求項３】
前記軸筒の側壁に前後方向に延びるスライド孔を設け、前記スライド孔に配設した前記クリップ体を前方へスライド操作することで、前記筆記体のペン先を没入状態から突出状態にする出没機構を備えた請求項１または２に記載の熱変色性筆記具。
【請求項４】
前記軸筒が、互いに連結可能な二以上の部品からなり、前記軸筒を構成する二つの前記部品の各側壁に、前端又は後端が開放され且つ前後方向に延びる第１又は第２の長孔をそれぞれ設け、二つの前記部品を連結したときに、前記第１及び第２の長孔が、互いに連通して前記スライド孔を形成する請求項３記載の熱変色性筆記具。
【請求項５】
前記軸筒を構成する二つの前記部品の各側壁を、互いに径方向に重なるように連結し、前記第１及び第２の長孔が、互いに径方向に重なった状態で連通して前記スライド孔を形成する請求項４記載の熱変色性筆記具。
【請求項６】
前記軸筒を構成する一の前記部品に設けた前記第１の長孔に前記クリップ体の基部を挿入する工程と、
前記軸筒を構成する他の前記部品に設けた前記第２の長孔に前記クリップ体の基部を挿入しつつ、他の前記部品を一の前記部品に連結させ、前記第２の長孔を前記第１の長孔に連通させて前記スライド孔を形成する工程と、
を経て前記クリップ体を前記スライド孔に組み付けた請求項４または５記載の熱変色性筆記具。
【請求項７】
前記出没機構としてのカム機構を前記軸筒内に備え、前記カム機構には、交互に前後方向の異なる位置で係合可能なカム部及び突起を含み、前記クリップ体を前方へスライド操作することにより、前記カム部及び前記突起を交互に前後方向の異なる位置で係合させ、前記筆記体のペン先を交互に突出状態又は没入状態にする請求項３乃至６の何れか１項に記載の熱変色性筆記具。
【請求項８】
前記出没機構として、円周方向に沿って交互に配置された前後方向に延びる複数のカム歯及びカム溝と、前記筆記体の後方に回転可能に配置され、前記カム歯又は前記カム溝に交互に係合可能な複数の突条を有する回転部材と、前記クリップ体に設けられ、前記回転部材を回動させる複数の他のカム歯と、前記筆記体を後方に付勢する弾発体と、を前記軸筒内に備え、
前記弾発体の付勢力に抗して、前記クリップ体を前方へスライド操作することにより、前記突条を前記カム歯又は前記カム溝に交互に係合させ、前記筆記体のペン先を交互に突出状態又は没入状態にする請求項７記載の熱変色性筆記具。
【請求項９】
前記クリップ体が、前記軸筒内に収容され且つ前後方向に延びる軸部を有し、前記軸部と前記回転部材とが、前後方向のあそびを有する状態で互いに係止される請求項８記載の熱変色性筆記具。
【請求項１０】
前記スライド孔より前方の前記軸筒の外面に、前後方向に延びるガイド溝を形成し、前記クリップ体の前部内面に玉部を突設し、前記クリップ体の前後方向の移動に伴って、前記玉部が前記ガイド溝内を前後方向に摺動する請求項３乃至９の何れか１項に記載の熱変色性筆記具。
【請求項１１】
前記摩擦部が弾性材料からなり、前記摩擦部の一部がペン先没入状態のクリップ体に当接してなる請求項１乃至１０の何れか１項に記載の熱変色性筆記具。
【請求項１２】
前記摩擦部が弾性材料からなり、前記軸筒の後端に圧入、係合、螺合、嵌合、接着、２色成形によって固着し、又は前記軸筒の全体を、前記摩擦部としての弾性材料で形成した請求項１乃至１１の何れか１項に記載の熱変色性筆記具。
【請求項１３】
筆記体の内部に熱変色性インキを収容し、前記筆記体の前端に前記熱変色性インキが吐出可能なペン先を設け、軸筒内に前記筆記体を後方に付勢された状態で前後方向に移動可能に収容し、前記筆記体のペン先を軸筒の前端孔から出没可能に構成した熱変色性筆記具であって、
前記軸筒の側壁に前後方向に延びるスライド孔を設け、前記スライド孔から径方向外方にクリップ体を突出させ、前記クリップ体を前記スライド孔に沿って前後方向に移動可能に構成し、ペン先没入状態からクリップ体を前方にスライド操作することによりペン先を軸筒の前端孔から突出状態にし、前記ペン先突出状態から前記クリップ体を操作することによりペン先を没入状態にする出没機構を備え、前記軸筒の後端に、前記熱変色性インキの筆跡を摩擦しその際に生じる摩擦熱で該筆跡を熱変色可能な摩擦部を設けたことを特徴とする熱変色性筆記具。
【請求項１４】
前記出没機構が、回転カム機構を用いたサイドスライド式出没機構であり、少なくとも、軸筒内面に形成されたカム部と、該カム部に係合し且つ筆記体の後端に当接する回転部材と、該回転部材に係合するカム歯を備えたクリップ体と、前記軸筒内に収容され且つ筆記体を後方に付勢する弾発体とからなり、ペン先突出操作及びペン先没入操作の何れもがクリップ体を前方にスライド操作するタイプである請求項１３記載の熱変色性筆記具。
【請求項１５】
前記軸筒が、前軸と、該前軸の後端部に連結される中間軸と、該中間軸の後端部に連結される後軸とからなり、前記前軸の前端にペン先が出没可能な前端孔を設け、前記中間軸の内面にカム部を設け、前記中間軸の後端部に、後方に開放され且つ前後方向に延びる第１の長孔を設け、前記後軸の前端部に、前方に開放され且つ前後方向に延びる第２の長孔を設け、前記中間軸の後端部と前記後軸の前端部とを、第１の長孔と第２の長孔とが連通するよう連結し、前記第１の長孔と前記第２の長孔とにより軸筒の側壁に前記スライド孔を形成し、前記後軸の後端に摩擦部を設けた請求項１３または１４に記載の熱変色性筆記具。
【請求項１６】
前記中間軸の側壁と前記後軸の側壁とを互いに径方向に重なるように連結し、前記第１の長孔と前記第２の長孔とを径方向に連通させた請求項１５記載の熱変色性筆記具。
【請求項１７】
前記クリップ体が、前記軸筒内に収容され且つ前後方向に延びる軸部を有し、前記軸部と前記回転部材とが、互いに回転可能且つ互いに前後方向のあそびを有した状態で前後方向に係止される請求項１３乃至１６の何れか１項に記載の熱変色性筆記具。
【請求項１８】
前記スライド孔より前方の前記軸筒の外面に、前後方向に延びるガイド溝を形成し、前記クリップ体の前部内面に玉部を突設し、前記クリップ体の前後方向の移動に伴って前記ガイド溝内を前記玉部が前後方向に摺動する請求項１３乃至１７の何れか１項に記載の熱変色性筆記具。
【請求項１９】
前記摩擦部が弾性材料からなり、前記摩擦部の一部がペン先没入状態のクリップ体に当接してなる請求項１３乃至１８の何れか１項に記載の熱変色性筆記具。
【発明の詳細な説明】
【技術分野】
【０００１】
本発明は、熱変色性筆記具に関する。詳細には、筆記体の内部に熱変色性インキを収容し、前記筆記体の前端に前記熱変色性インキが吐出可能なペン先を設け、前記筆記体を軸筒内に前後方向に移動可能に収容し、前記筆記体のペン先を軸筒の前端孔から出没可能に構成した熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦部を設けた熱変色性筆記具が開示されている。
【０００３】
前記特許文献１は、軸筒後端の操作部を前方に押圧するタイプにおいて操作部に摩擦部を設けた場合、該摩擦部を用いて摩擦操作すると、被筆記面によって操作部が前方に移動し、安定した摩擦操作を行うことができないおそれがある。特に、ペン先突出操作及びペン先没入操作のいずれもが操作部を前方に押圧操作するタイプの出没機構（いわゆるダブルノック式）を採用し且つ操作部に摩擦部を設けた場合、ペン先突出状態において操作体が前後方向にがたつき、安定した摩擦操作を行うことができないおそれがある。
【０００４】
また、特許文献１の図１２には、筒状の操作部を前後方向に移動可能に設け、前記筒状の操作部の外面にポケット等に挟持可能なクリップを突設し、前記筒状の操作部の後端外面に摩擦部を設けた構成が開示されている。しかし、この構成の熱変色性筆記具は、ペン先の出没操作時に摩擦部を押圧するため、摩擦部が手垢等で汚れるおそれがある。そして、前記摩擦部が汚れた状態で熱変色性インキの筆跡を摩擦した場合、筆跡を有する被筆記面（例えば紙面）が汚れるおそれがある。
【０００５】
また、特許文献１の図１５には、操作部を軸筒側壁より径方向外方に突出させ、前記操作部を後方付勢に抗して前方に押圧操作することにより、ペン先没入状態からペン先突出状態にする構成（いわゆる多芯タイプのサイドスライド式）の出没機構を備え、軸筒の後端外面に摩擦部を設けた構成が開示されている。しかし、この構成の熱変色性筆記具は、ペン先突出状態からペン先没入状態にする際（ペン先突出状態を解除する際）、他の筆記体に取り付けられた操作体を操作しなければならない。そのため、複数の操作体（即ち複数の突出部分）を設ける必要があり、外観デザイン上の自由度が減少する。さらには、ポケット等に挟持可能なクリップを軸筒に設ける場合、より一層、突出部分が増え、外観デザイン上の自由度が減少する。
【先行技術文献】
【特許文献】
【０００６】
【特許文献１】国際公開第２００８／１０５２２７号パンフレット
【発明の概要】
【発明が解決しようとする課題】
【０００７】
本発明は前記従来の問題点を解決するものであって、摩擦部を用いて安定した摩擦操作が可能となり、さらに、摩擦部が手垢等で汚れることを回避でき、しかも、外観デザイン上の自由度が増加する熱変色性筆記具を提供しようとするものである。
【０００８】
上記に加え、本発明は、以下の作用効果を奏する熱変色性筆記具の提供を目的とする。
（１）ユーザーが操作方法を容易に習得でき、操作方法が簡単である。
（２）クリップ体をスライド孔に容易に挿入できる。
（３）軸筒全体が不必要に長くなることを回避できる。
（４）ペン先突出状態でクリップ体の近傍を把持した場合でも、安定した摩擦操作が可能である。
（５）クリップ体の挟持性能が向上するとともにクリップ体のぐらつきを防止できる。
（６）ペン先突出状態からペン先没入状態にする際、筆記体に加わる衝撃を緩和できる。
【０００９】
尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【００１０】
上記目的を達成するために、本願発明の熱変色性筆記具は、内部に熱変色性インキを収容した筆記体を軸筒内に収容し、前記軸筒に設けた操作体を操作して前記筆記体を前後方向に移動させ、前記筆記体のペン先を筆記具の先端から出没可能に構成した熱変色性筆記具であって、前記熱変色性インキの筆跡を摩擦しその際に生じる摩擦熱で該筆跡を熱変色可能な摩擦部と、少なくとも一の前記操作体としてのクリップ体とを備え、前記摩擦部を前記軸筒の後端に設けるとともに、前記軸筒における後端以外の部位に前記クリップ体を設けた構成としてある。
【００１１】
上記構成によれば、摩擦部を、クリップ体（操作体）から独立させて軸筒の後端に設けたことにより、摩擦操作時に、摩擦部が後方へ移動することがなく、摩擦部を用いた摩擦操作が安定したものとなる。また、ペン先出没の操作をするときに摩擦部に触れる必要がないので、摩擦部が手垢等で汚れることを回避できる。
【００１２】
好ましくは、上述した本発明の熱変色性筆記具において、前記操作体として単一の前記クリップ体のみを備え、単一の前記クリップ体を操作することにより、前記筆記体のペン先を突出状態及び没入状態にすることが可能な構成とする。
【００１３】
上記構成によれば、ペン先出没の操作を単一のクリップ体で行うことができ、軸筒に複数の操作体（即ち複数の突出部分）を設ける必要がなくなる。さらに、操作体であるクリップ体は、ポケット等に挟持可能なクリップを兼ねるので、外観上、操作体としての突出部分をなくすことができ、熱変色性筆記具のデザイン上の自由度を増大させ、スマートな外観を得ることができる。
【００１４】
上述した本発明の熱変色性筆記具において、前記軸筒が、互いに連結可能な複数の部品からなる構成としてもよく、この場合に、前記軸筒の後端を含む部分が前記部品としての後軸からなり、前記後軸の後端部に前記摩擦部を設けた構成としてもよい。すなわち、本熱変色性筆記具を構成する軸筒は、一本の筒状体であってもよいし、複数の部品を互いに連結させて一本の筒状体となるものでもよい。
【００１５】
好ましくは、上述した本発明の熱変色性筆記具において、前記軸筒の側壁に前後方向に延びるスライド孔を設け、前記スライド孔に配設した前記クリップ体を前方へスライド操作することで、前記筆記体のペン先を没入状態から突出状態にする出没機構を備えた構成とする。
【００１６】
上記構成によれば、クリップ体を前方へスライド操作することで、ペン先を突出状態及び没入状態にすることができ（いわゆるダブルノック式の出没機構）、操作方法が簡単であり、ユーザーが操作方法を容易に習得できる。
【００１７】
好ましくは、上述した本発明の熱変色性筆記具において、前記軸筒が、互いに連結可能な二以上の部品からなり、前記軸筒を構成する二つの前記部品の各側壁に、前端又は後端が開放され且つ前後方向に延びる第１又は第２の長孔をそれぞれ設け、二つの前記部品を連結したときに、前記第１及び第２の長孔が、互いに連通して前記スライド孔を形成する構成とする。
【００１８】
上記構成によれば、例えば、後方に開放された第１の長孔と、前方に開放された第２の長孔とでスライド孔を形成した場合は、軸筒を構成する二つの部品を連結する際（即ちスライド孔を形成する際）に、第１及び第２の長孔の開放端を介して、クリップ体の取付部分をスライド孔に容易に挿入することができ、クリップ体と軸筒とを効率よく組み立てることが可能となる。
【００１９】
好ましくは、上述した本発明の熱変色性筆記具において、前記軸筒を構成する二つの前記部品の各側壁を、互いに径方向に重なるように連結し、前記第１及び第２の長孔が、互いに径方向に重なった状態で連通して前記スライド孔を形成する構成とする。
【００２０】
上記構成によれば、第１及び第２の長孔を、互いに径方向に重なった状態で連通させたことにより、軸筒全体が不必要に長くなることを回避できる。すなわち、第１及び第２の長孔の重複部分はスライド孔の全長に影響を与えないのである。尚、「径方向に重なる」の構成については、後に具体例を挙げて詳述する。
【００２１】
より好ましくは、上述した本発明の熱変色性筆記具において、前記軸筒を構成する一の前記部品に設けた前記第１の長孔に前記クリップ体の基部を挿入する工程と、前記軸筒を構成する他の前記部品に設けた前記第２の長孔に前記クリップ体の基部を挿入しつつ、他の前記部品を一の前記部品に連結させ、前記第２の長孔を前記第１の長孔に連通させて前記スライド孔を形成する工程と、を経て前記クリップ体を前記スライド孔に組み付けた構成とする。
【００２２】
上記構成によれば、クリップ体をスライド孔に容易に挿入できることに加え、第１の長孔に挿入したクリップ体の基部をガイドにして、第１及び第２の長孔の位置合わせと、一の部品と他の部品の連結とを簡単に行うことができるようになる。
【００２３】
好ましくは、上述した本発明の熱変色性筆記具において、前記出没機構としてのカム機構を前記軸筒内に備え、前記カム機構には、交互に前後方向の異なる位置で係合可能なカム部及び突起を含み、前記クリップ体を前方へスライド操作することにより、前記カム部及び前記突起を交互に前後方向の異なる位置で係合させ、前記筆記体のペン先を交互に突出状態又は没入状態にする構成とする。
【００２４】
より好ましくは、前記出没機構として、円周方向に沿って交互に配置された前後方向に延びる複数のカム歯及びカム溝と、前記筆記体の後方に回転可能に配置され、前記カム歯又は前記カム溝に交互に係合可能な複数の突条を有する回転部材と、前記クリップ体に設けられ、前記回転部材を回動させる複数の他のカム歯と、前記筆記体を後方に付勢する弾発体と、を前記軸筒内に備え、前記弾発体の付勢力に抗して、前記クリップ体を前方へスライド操作することにより、前記突条を前記カム歯又は前記カム溝に交互に係合させ、前記筆記体のペン先を交互に突出状態又は没入状態にする構成としてもよい。
【００２５】
このような構成によれば、カム機構を利用して、クリップ体を前方にスライド操作するだけでペン先を突出状態及び没入状態にすることができるダブルノック式の出没機構を構成することができ、本熱変色性筆記具の操作方法が極めて簡単となり、ユーザーが操作方法を容易に習得できるようになる。
【００２６】
好ましくは、上述した本熱変色性筆記具の出没機構において、前記クリップ体が、前記軸筒内に収容され且つ前後方向に延びる軸部を有し、前記軸部と前記回転部材とが、前後方向のあそびを有する状態で互いに係止される構成とする。
【００２７】
このような構成によれば、クリップ体の軸部と回転部材とが、前後方向のあそびを有した状態で係止されることにより、ペン先の突出状態（すなわち、カム歯と突条が前方で係合している場合）において、スライド孔の前方に移動したクリップ体の後方への移動が阻止される。その結果、ペン先の突出状態において摩擦操作を行う場合に、クリップ体の近傍を把持したとしても、クリップ体が不用意に移動することがなく、安定した摩擦操作が可能となる。
【００２８】
好ましくは、上述した本熱変色性筆記具の出没機構において、前記スライド孔より前方の前記軸筒の外面に、前後方向に延びるガイド溝を形成し、前記クリップ体の前部内面に玉部を突設し、前記クリップ体の前後方向の移動に伴って、前記玉部が前記ガイド溝内を前後方向に摺動する構成とする。
【００２９】
上記構成によれば、クリップ体をスライド操作するときに、玉部がガイド溝に沿って摺動してクリップ体を前後方向にガイドするので、クリップ体の横方向（周方向）のぐらつきを防止することができる。また、衣類のポケットや手帳等の被挟持物をクリップ体に挟持させるときに、被挟持物が玉部とガイド溝との間に挟まれるので、クリップ体の挟持性能が向上する。
【００３０】
好ましくは、上述した本熱変色性筆記具の出没機構において、前記摩擦部が弾性材料からなり、前記摩擦部の一部がペン先没入状態のクリップ体に当接してなる構成とする。
【００３１】
上記構成によれば、ペン先を突出状態からペン先没入状態にするときに、スライド溝の後方に移動したクリップ体が弾性材料からなる摩擦部に当接するので、このときに筆記体に加わる衝撃を緩和することができる。その結果、筆記体内のインキの逆流等やペン先からの空気の混入を防止することが可能となる。
【００３２】
上述した本熱変色性筆記具の出没機構において、前記摩擦部が弾性材料からなり、前記軸筒の後端又は前記後軸の後端部に圧入、係合、螺合、嵌合、接着、２色成形によって固着し、又は前記軸筒の全体もしくは前記後軸の全体を、前記摩擦部としての弾性材料で形成した構成とする。
【００３３】
上記構成によれば、軸筒の後端に摩擦部を十分強固に固定することができ、摩擦操作時に、摩擦部が後方へ移動したり、脱落したりすることがなく、摩擦部を用いた摩擦操作が安定したものとなる。
【００３４】
以下、上述した本発明のより具体的な実施の形態＜１＞〜＜７＞について、図１〜３５の符号を引用して説明する。
【００３５】
＜１＞第１の実施の形態に係る熱変色性筆記具１は、筆記体９の内部に熱変色性インキを収容し、前記筆記体９の前端に前記熱変色性インキが吐出可能なペン先９１を設け、軸筒２内に前記筆記体９を後方に付勢された状態で前後方向に移動可能に収容し、前記筆記体９のペン先９１を軸筒２の前端孔３１から出没可能に構成した熱変色性筆記具であって、前記軸筒２の側壁に前後方向に延びるスライド孔２１を設け、前記スライド孔２１から径方向外方にクリップ体７を突出させ、前記クリップ体７を前記スライド孔２１に沿って前後方向に移動可能に構成し、ペン先没入状態からクリップ体７を前方にスライド操作することによりペン先９１を軸筒２の前端孔３１から突出状態にし、ペン先突出状態からクリップ体７を操作することによりペン先９１を没入状態にする出没機構を備え、前記軸筒２の後端に、前記熱変色性インキの筆跡を摩擦しその際に生じる摩擦熱で該筆跡を熱変色可能な摩擦部１０を設けた構成となっている。
【００３６】
前記第１の実施の形態に係る熱変色性筆記具１は、前記摩擦部１０を軸筒２の後端に設けたことにより、摩擦操作時、摩擦部１０の後への移動が阻止されるため、摩擦部１０を用いて安定した摩擦操作が可能となる。また、前記第１の実施の形態に係る熱変色性筆記具１は、ペン先出没の操作をするための操作部をクリップ体７に設け、摩擦部１０をクリップ体７（操作部）から独立させたことにより、ペン先９１を出没する際、クリップ体７を操作し、摩擦部１０を操作しないため、摩擦部１０が手垢等で汚れることを回避できる。また、前記第１の実施の形態に係る熱変色性筆記具１は、軸筒２外面にクリップ体７を設けたにもかかわらず、従来の多芯タイプのサイドスライド式の熱変色性筆記具に比べ、突出部分が少なく、外観デザイン上の自由度が増加し、スマートな外観を得ることができる。
【００３７】
尚、本発明において、前記クリップ体７は、軸筒２外面との間において衣類のポケットや手帳等の被挟持物に挟持可能なものである。尚、本発明において、前記摩擦部１０は、少なくとも摩擦操作時に、前記摩擦部１０を軸筒２の後端に固定する構成であればよく、例えば、摩擦部１０が、ペン先出没操作以外の操作により軸筒２後端より出没する構成であってもよい。尚、本発明において、ペン先突出状態からクリップ体７を操作するとは、ペン先突出状態を解除する操作であり、例えば、クリップ体７を前方にスライド操作すること、クリップ体７を径方向内方に押圧操作すること、またはクリップ体７を回転操作すること等が挙げられる。尚、本発明で、摩擦操作時とは、摩擦部１０を用いて摩擦操作する時をいう。前記摩擦操作時において、ペン先突出状態またはペン先没入状態のいずれであってもよい。
【００３８】
＜２＞第２の実施の形態に係る熱変色性筆記具１は、前記第１の発明の筆記具１において、前記出没機構が、回転カム機構を用いたサイドスライド式出没機構であり、軸筒２内面に形成されたカム部４１と、該カム部４１に係合し且つ筆記体９の後端に当接する回転部材６と、該回転部材６に係合するカム歯７３ａ，７４ａを備えた前記クリップ体７と、前記軸筒２内に収容され且つ筆記体９を後方に付勢する弾発体８とからなり、ペン先突出操作及びペン先没入操作の何れもがクリップ体７を前方にスライド操作するタイプである構成となっている。
【００３９】
前記第２の実施の形態に係る熱変色性筆記具１は、出没機構が、回転カム機構を用いたサイドスライド式出没機構であり、ペン先突出操作及びペン先没入操作の何れもがクリップ体７を前方にスライド操作するタイプ（いわゆるダブルノック式の出没機構）であるため、操作方法が簡単であり、ユーザーが操作方法を容易に習得できる。
【００４０】
＜３＞第３の実施の形態に係る熱変色性筆記具１は、前記第１または第２の発明の熱変色性筆記具１において、前記軸筒２が、前軸３と、該前軸３の後端部に連結される中間軸４と、該中間軸４の後端部に連結される後軸５とからなり、前記前軸３の前端にペン先９１が出没可能な前端孔３１を設け、前記中間軸４の内面にカム部４１を設け、中間軸４の後端部に、後方に開放され且つ前後方向に延びる第１の長孔４４を設け、前記後軸５の前端部に、前方に開放され且つ前後方向に延びる第２の長孔５１を設け、前記中間軸４の後端部と前記後軸５の前端部とを、第１の長孔４４と第２の長孔５１とが連通するよう連結し、前記第１の長孔４４と前記第２の長孔５１とにより軸筒２の側壁に前記スライド孔２１を形成し、前記後軸５の後端外面に摩擦部１０を固定した構成となっている。
【００４１】
前記第３の実施の形態に係る熱変色性筆記具１は、後方に開放された第１の長孔４４と前方に開放された第２の長孔５１とによりスライド孔２１を形成したことによって、前記中間軸４と前記後軸５とを連結する際（即ちスライド孔２１を形成する際）に、クリップ体７を第１の長孔４４と第２の長孔５１とに挿入でき、クリップ体７をスライド孔２１に容易に挿入することができ、クリップ体７と軸筒２との容易な挿入組立が可能となる。
【００４２】
＜４＞第４の実施の形態に係る熱変色性筆記具１は、前記第３の発明の熱変色性筆記具１において、前記中間軸４の側壁と前記後軸５の側壁とを互いに径方向に重なるように連結し、前記第１の長孔４４と前記第２の長孔５１とを径方向に連通させた構成となっている。
【００４３】
前記第４の実施の形態に係る熱変色性筆記具１は、前記中間軸４の側壁と前記後軸５の側壁とを互いに径方向に重なるように連結し、前記第１の長孔４４と前記第２の長孔５１とを径方向に連通させたことにより、軸筒２全体が不必要に長くなることを回避できる。尚、本発明で、前記中間軸４の側壁と前記後軸５の側壁とを互いに径方向に重なるように連結するとは、例えば、中間軸４の側壁外面と後軸５の側壁内面とを径方向に重なるように連結（例えば嵌合や螺合）させる構成、または、中間軸４の側壁内面と後軸５の側壁外面とを径方向に重なるように連結（例えば嵌合や螺合）させる構成が挙げられる。前記中間軸４の側壁と前記後軸５の側壁とを互いに径方向に重なるように連結する構成は、少なくとも、前記中間軸４の側壁の一部と前記後軸５の側壁の一部とが互いに径方向に重なるように連結する構成であればよい。
【００４４】
＜５＞第５の実施の形態に係る熱変色性筆記具１は、前記第２、第３または第４の発明の熱変色性筆記具１において、前記クリップ体７が、前記軸筒２内に収容され且つ前後方向に延びる軸部７３を有し、前記軸部７３と前記回転部材６とが、互いに回転可能且つ互いに前後方向のあそびを有した状態で前後方向に係止される構成となっている。
【００４５】
前記第５の実施の形態に係る熱変色性筆記具１は、前記クリップ体７が、前記軸筒２内に収容され且つ前後方向に延びる軸部７３を有し、前記軸部７３と前記回転部材６とが、互いに回転可能且つ互いに前後方向のあそびを有した状態で前後方向に係止されることにより、ペン先突出状態において、回転部材６がカム部４１のカム歯４１ａに係止され、回転部材６の後方移動が阻止されるとともに、クリップ体７の不用意な前後方向の移動が抑えられる。その結果、ペン先突出状態でクリップ体７の近傍を把持しても、安定した摩擦操作が可能となる。
【００４６】
＜６＞第６の実施の形態に係る熱変色性筆記具１は、前記第１乃至第５の発明の何れかの熱変色性筆記具１において、前記スライド孔２１より前方の前記軸筒２の外面に、前後方向に延びるガイド溝４８を形成し、前記クリップ体７の前部内面に玉部７１ａを突設し、前記クリップ体７の前後方向の移動に伴って前記ガイド溝４８内を前記玉部７１ａが前後方向に摺動する構成となっている。
【００４７】
前記第６の実施の形態に係る熱変色性筆記具１は、前記スライド孔２１より前方の前記軸筒２の外面に、前後方向に延びるガイド溝４８を形成し、前記クリップ体７の前部内面に玉部７１ａを突設し、前記クリップ体７の前後方向の移動に伴って前記ガイド溝４８内を前記玉部７１ａが前後方向に摺動することにより、クリップ体の挟持性能が向上するとともにクリップ体７の横方向（周方向）のぐらつきを防止できる。
【００４８】
＜７＞第７の実施の形態に係る熱変色性筆記具１は、前記第１乃至第６の発明の何れかの熱変色性筆記具１において、前記摩擦部１０が弾性材料からなり、前記摩擦部１０の一部がペン先没入状態のクリップ体７に当接してなる構成となっている。
【００４９】
前記第７の実施の形態に係る熱変色性筆記具１は、前記摩擦部１０が弾性材料からなり、前記摩擦部１０の一部がペン先没入状態のクリップ体７に当接してなることにより、ペン先突出状態からペン先没入状態にする際、弾発体８の後方付勢により筆記体９及びクリップ体７が後方移動し、クリップ体７と弾性材料よりなる摩擦部１０とが当接するため、その際に筆記体９に加わる衝撃を緩和できる。その結果、筆記体９内のインキの逆流等やペン先９１からの空気の混入を防止できる。
【発明の効果】
【００５０】
本発明の熱変色性筆記具は、摩擦部を用いて安定した摩擦操作が可能となり、さらに、摩擦部が手垢等で汚れることを回避でき、しかも、外観デザイン上の自由度が増加し、スマートな外観を得ることができる。
【図面の簡単な説明】
【００５１】
【図１】本発明の第１の実施の形態のペン先没入状態を示す側面図である。
【図２】図１の正面図である。
【図３】図１のペン先突出状態を示す側面図である。
【図４】図１の縦断面図である。
【図５】図１の前軸の拡大縦断面図である。
【図６】図１の中間軸の拡大縦断面図及び回転部材の拡大側面図である。
【図７】図１の後軸の拡大縦断面図及び摩擦部の拡大側面図である。
【図８】図１のクリップ体の拡大側面図である。
【図９】本発明のクリップ体の他の実施の形態を示す拡大縦断面図である。
【図１０】熱変色性インキの変色挙動を示す説明図である。
【図１１】本発明の第２の実施の形態のペン先没入状態を示す側面図である。
【図１２】図１１の正面図である。
【図１３】図１１のペン先突出状態を示す側面図である。
【図１４】図１１の縦断面図である。
【図１５】図１４のＡ−Ａ線拡大断面図である。
【図１６】図１４のＢ−Ｂ線拡大断面図である。
【図１７】図１１のペン先突出状態の縦断面図である。
【図１８】図１１の前軸の拡大縦断面図である。
【図１９】図１１の中間軸の拡大正面図である。
【図２０】（ａ）が図１９のＣ−Ｃ線断面図、（ｂ）が図１９のＤ−Ｄ線断面図、（ｃ）が図１９のＥ−Ｅ線断面図、（ｄ）が図１９のＦ−Ｆ線断面図である。
【図２１】図１１の中間軸の拡大縦断面図である。
【図２２】図１１の後軸の拡大正面図である。
【図２３】図２２のＧ−Ｇ線断面図である。
【図２４】図１１の後軸の拡大縦断面図である。
【図２５】図１１の後軸と摩擦部との取付状態を示す拡大縦断面図である。
【図２６】図１１のクリップ体を省略した要部拡大正面図である。
【図２７】図１１のクリップ体の拡大縦断面図である。
【図２８】図１１のクリップ体の円筒体を除いたクリップ体主要部の拡大側面図である。
【図２９】図１１のクリップ体の円筒体の拡大正面図である。
【図３０】図１１のクリップ体の円筒体の拡大平面図である。
【図３１】図１１のクリップ体の円筒体の拡大縦断面図である。
【図３２】図１１の回転部材の拡大正面図である。
【図３３】図１１の回転部材の拡大縦断面図である。
【図３４】図１１のクリップ体主要部、円筒体、回転部材、中間軸、及び後軸を示す分解図である。
【図３５】図１１のペン先突出状態（図１７）の要部拡大縦断面図である。
【発明を実施するための形態】
【００５２】
＜第１の実施の形態＞
図１及び図９に本発明の実施の形態を示す。本実施の形態の熱変色性筆記具１は、軸筒２と、該軸筒２内に収容される筆記体９と、該筆記体９のペン先を軸筒２の前端孔３１より出没自在にさせる出没機構とを備える。
【００５３】
・筆記体
前記筆記体９は、ペン先９１と、該ペン先９１が前端開口部に圧入固着されたインキ収容管９２と、該インキ収容管９２内に充填される熱変色性インキと、該熱変色性インキの後端に充填され且つ該熱変色性インキの消費に伴い前進する追従体（例えば高粘度流体）とからなる。
【００５４】
前記ペン先９１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管９２の後端開口部に、インキ収容管９２と外部とが通気可能な通気孔を備えた尾栓が取り付けられる。前記ペン先９１の内部には、前端のボールを前方に押圧するスプリングが収容され
る。前記スプリングは、圧縮コイルスプリングの前端部にロッド部を備えた構成であり、
前記ロッド部の前端がボール後面に接触している。非筆記時、前記スプリングの前方付勢
によりボールがボールペンチップ前端の内向きの前端縁部内面に密接され、ペン先９１の
前端からのインキの漏出及びインキの蒸発を防止できる。
【００５５】
・軸筒
前記軸筒２は、先細円筒状の前軸３と、該前軸３の後端部に連結される円筒状の中間軸４と、該中間軸４の後端部に連結される円筒状の後軸５とからなる。
【００５６】
図５に前軸３を示す。前記前軸３は、合成樹脂（例えば、ポリカーボネート樹脂）の成形体からなる先細円筒状の本体３ａと、該本体３ａ外面に設けられる弾性材料からなる把持部３ｂとからなる。前記把持部３ｂは、２色成形または装着により設けられる。前記前軸３の後端部は縮径され、その外面にはオネジ部３２が形成される。前記前軸３の前端には、前端孔３１が前後方向に貫設される。
【００５７】
図６に中間軸４を示す。前記中間軸４は、円筒状の合成樹脂（例えば、ポリカーボネート樹脂）の成形体からなる。前記中間軸４の前端部内面には、メネジ部４６が形成される。前記メネジ部４６に前記前軸３のオネジ部３２が螺合可能である。前記中間軸４の後端部には、縮径部４３が一体に形成される。前記縮径部４３には、前端が閉鎖され且つ後端が開放された、前後方向に延びる第１の長孔４４が形成される。さらに、前記縮径部４３の外面には外向突起４５が一体に形成される。前記縮径部４３より前方の前記中間軸４の内面には、段部４２が一体に形成される。前記段部４２よりも前方の前記中間軸４の内面（前記中間軸４の第１の長孔４４よりも前方の内面）には、カム部４１が一体に形成される。また、前記段部４２は、前記カム部４１の後方且つ第１の長孔４４の前方（即ちカム部４１と第１の長孔４４との間）の中間軸４の内面に一体に形成される。また、前記中間軸４の外面には、係止突起４７が一体に形成される。ペン先没入状態において、前記係止突起４７とクリップ体７の玉部７１ａとの間でポケット等の被挟持物が挟持可能である。
【００５８】
図７に後軸５を示す。前記後軸５は、円筒状の合成樹脂（例えば、ポリカーボネート樹脂）の成形体からなる。前記後軸５の前端部側壁には、前端が開放され且つ後端が閉鎖された、前後方向に延びる第２の長孔５１が形成される。また、前記後軸５の後端には、取付孔５２が前後方向に貫設される。前記取付孔５２に弾性材料からなる摩擦部１０が圧入嵌合される。それにより、前記後軸５の後端外面に摩擦部１０が固定される。また、前記後軸５の内面には、内向突起５３が一体に形成される。前記第２の長孔５１の幅寸法は、前記第１の長孔４４の幅寸法と等しく設定され、それにより、スライド孔２１に沿ってクリップ体７の前後方向のスムーズな移動が可能となる。
【００５９】
図８にクリップ体７を示す。前記クリップ体７は、前後方向に延びるクリップ本体７１と、該クリップ本体７１の後部に一体に連設される基部７２と、該基部７２と一体に連設され且つ基部７２より前方に延びる軸部７３とからなる。前記クリップ体７は、合成樹脂（例えば、ポリカーボネート樹脂）の成形体により得られる。前記クリップ本体７１は、裏面に玉部７１ａが突設される。前記軸部７３の前端には、カム歯７３ａが一体に形成される。
【００６０】
・クリップ体の組立
前記クリップ体７の組立について説明する。前記中間軸４の第１の長孔４４の後端開放部より、該第１の長孔４４内にクリップ体７の基部７２を挿入するとともに、クリップ体７の軸部７３を中間軸４内に挿入する。その後、中間軸４の第１の長孔４４と後軸５の第２の長孔５１とを径方向に連通させるように（径方向に重なるように）、前記後軸５の内面を前記中間軸４の縮径部４３の外面に嵌合させるとともに、クリップ体７の基部７２を、第２の長孔５１の前端開放部より、該第２の長孔５１に挿入する。それにより、前記中間軸４と前記後軸５とが連結され、前記第１の長孔４４と第２の長孔５１とにより、前後方向に延びるスライド孔２１が形成されるとともに、前記スライド孔２１より径方向外方にクリップ体７（クリップ本体７１及び基部７２の一部）が突出され、前記クリップ体７がスライド孔２１に沿って前後方向にスライド可能（前後方向に摺動可能）に構成される。尚、このとき、前記中間軸４の縮径部４３外面の外向突起４５と後軸５の内面の内向突起５３が乗り越え係合される。
【００６１】
前記摩擦部１０が固定された後軸５を中間軸４の後端部に連結することによって、前記摩擦部１０が軸筒２の後端に常時固定される。また、前軸３と中間軸４とが螺合により着脱自在に連結され、それにより、筆記体９を交換可能にできる。
【００６２】
・出没機構
前記出没機構は、回転カム機構を用いたサイドスライド式出没機構である。前記出没機構は、中間軸４内面に形成されたカム部４１と、該カム部４１に係合し且つ筆記体９の後端に当接する回転部材６と、該回転部材６に係合し且つスライド孔２１より径方向外方に突出するクリップ体７と、軸筒２内に収容され且つ筆記体９を後方に付勢する弾発体８（例えば圧縮コイルスプリング）とからなる。本実施の形態の出没機構は、ペン先突出操作及びペン先没入操作のいずれもがクリップ体７を前方にスライド操作するダブルノック式である。前記回転部材６は合成樹脂（例えばポリアセタール樹脂）の成形体により得られる。
【００６３】
前記カム部４１は、前方に突出する鋸歯状の複数のカム歯４１ａと、該カム歯４１ａ間に形成される、前後方向に延びる複数のカム溝４１ｂとを備える。前記回転部材６は、その外面に前後方向に延びる複数本（例えば４本）の突条６１を備え、該突条６１が、カム部４１のカム歯４１ａ及びカム部４１のカム溝４１ｂと係合される。前記クリップ体７の軸部７３の前端には、回転部材６の突条６１の後端と係合するカム歯７３ａが一体に形成される。
【００６４】
・ペン先の出没
ペン先没入状態からクリップ体７を前方に、弾発体８による後方付勢に抗してスライド操作すると、クリップ体７の軸部７３のカム歯７３ａによって回転部材６が前方に押圧され、前記回転部材６の突条６１がカム溝４１ｂに沿って前方に移動するに伴って、前記回転部材６が筆記体９の後端を前方に押圧し、ペン先９１が前端孔３１より外部に突出される。このとき、前記軸部７３のカム歯７３ａと前記回転部材６の突条６１との当接によって回転部材６がカム部４１に対して一定角度だけ回転する。それにより、前記回転部材６の突条６１がカム部４１のカム歯４１ａに係合され、ペン先突出状態が維持される。
【００６５】
ペン先突出状態からクリップ体７を前方にスライド操作すると、クリップ体７の軸部７３が回転部材６を前方に押圧し、前記軸部７３のカム歯７３ａと前記回転部材６の突条６１との当接によって回転部材６がカム部４１に対して一定角度だけ回転する。それによって、前記突条６１とカム部４１のカム歯４１ａとの係合状態が解除され、弾発体８による後方付勢により、前記突条６１がカム部４１のカム溝４１ｂに沿って後方に移動する。前記回転部材６が後方に移動することに伴って、筆記体９が後方に移動し、ペン先没入状態となる。
【００６６】
前記摩擦部１０は、前記クリップ体７の前後方向の移動に連動せず、後軸５（軸筒２）の後端外面に固定される。前記摩擦部１０は、クリップ体７と独立して設けられる。
【００６７】
・クリップ体の他の例
図９にクリップ体７の他の実施の形態を示す。本実施の形態の図８のクリップ体７と異なる点は、カム歯７４ａを有する円筒体７４をクリップ体７の軸部７３に取り付けた点であり、他の構成及び作用効果は図１乃至図８の実施の形態と同様であるため、説明を省略する。前記円筒体７４は合成樹脂（例えばポリアセタール樹脂）の成形体により得られる。
【００６８】
・摩擦部
本実施の形態において、前記摩擦部１０を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部１０を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部１０は、軸筒２の後端部外面に少なくとも設ければよく、例えば、軸筒２の後端部外面もしくは後軸５の後端部外面に弾性材料よりなる摩擦部１０を圧入、係合、螺合、嵌合、接着、２色成形等によって固着する構成、または軸筒２の全体もしくは後軸５の全体が弾性材料により一体に形成される構成が挙げられる。
【００６９】
・熱変色性インキ
本実施の形態において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００７０】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００７１】
本実施の形態では、図１０に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図１０において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００７２】
本実施の形態では、前記熱変色性インキの摩擦部１０の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部１０による摩擦熱で容易に変色することができる。
【００７３】
本実施の形態の熱変色性筆記具１は、前記摩擦部１０を軸筒２の後端外面に固定したことにより、摩擦操作時、摩擦部１０の後方への移動が阻止されるため、摩擦部１０を用いて安定した摩擦操作が可能となる。また、本実施の形態の熱変色性筆記具１は、ペン先出没の操作をするための操作部をクリップ体７に設け、摩擦部１０をクリップ体７（操作部）から独立させたことにより、ペン先９１を出没する際、クリップ体７を操作し、摩擦部１０を操作しないため、摩擦部１０が手垢等で汚れることを回避できる。また、本実施の形態の熱変色性筆記具１は、軸筒２外面にクリップ体７を設けたにもかかわらず、従来の多芯タイプのサイドスライド式の熱変色性筆記具に比べ、突出部分が少なく、外観デザイン上の自由度が増加し、スマートな外観を得ることができる。
【００７４】
本実施の形態の熱変色性筆記具１は、出没機構が、回転カム機構を用いたサイドスライド式出没機構であり、ペン先突出操作及びペン先没入操作の何れもがクリップ体７を前方にスライド操作するタイプ（いわゆるダブルノック式の出没機構）であるため、操作方法が簡単であり、ユーザーが操作方法を容易に習得できる。
【００７５】
本実施の形態の熱変色性筆記具１は、後方に開放された第１の長孔４４と前方に開放された第２の長孔５１とによりスライド孔２１を形成したことによって、前記中間軸４と前記後軸５とを連結する際（即ちスライド孔２１を形成する際）に、クリップ体７を第１の長孔４４と第２の長孔５１とに挿入でき、クリップ体７をスライド孔２１に容易に挿入することができ、クリップ体７と軸筒２との容易な挿入組立が可能となる。
【００７６】
本実施の形態の熱変色性筆記具１は、前記中間軸４の側壁と前記後軸５の側壁とを径方向に重なるように連結し、前記第１の長孔４４と前記第２の長孔５１とを径方向に連通させたことにより、軸筒２全体が不必要に長くなることを回避できる。
【００７７】
本実施の形態の熱変色性筆記具１は、前記摩擦部１０が弾性材料からなり、前記摩擦部１０の一部がペン先没入状態のクリップ体７に当接してなることにより、ペン先突出状態からペン先没入状態にする際、弾発体８の後方付勢による筆記体９及びクリップ体７が後方移動し、クリップ体７と弾性材料よりなる摩擦部１０とが当接するため、その際に筆記体９に加わる衝撃を緩和できる。その結果、筆記体９内のインキの逆流やペン先９１からの空気の混入を防止できる。
【００７８】
＜第２の実施の形態＞
図１１乃至図３５に本発明の第２の実施の形態を示す。本実施の形態の熱変色性筆記具１は、軸筒２と、該軸筒２内に収容される筆記体９と、該筆記体９のペン先９１を軸筒２の前端孔３１より出没自在にさせる出没機構とを備える。
【００７９】
・筆記体
前記筆記体９は、ペン先９１と、該ペン先９１が前端開口部に圧入固着されたインキ収容管９２と、該インキ収容管９２内に充填される熱変色性インキ９３と、該熱変色性インキ９３の後端に充填され且つ該熱変色性インキ９３の消費に伴い前進する追従体９４（例えば高粘度流体）とからなる。
【００８０】
前記ペン先９１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管９２の後端開口部に、インキ収容管９２と外部とが通気可能な通気孔を備えた尾栓９５が取り付けられる。前記ペン先９１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先９１の前端からのインキの漏出及びインキの蒸発を防止できる。
【００８１】
・軸筒
前記軸筒２は、先細円筒状の前軸３と、該前軸３の後端部に連結される円筒状の中間軸４と、該中間軸４の後端部に連結される円筒状の後軸５とからなる。
【００８２】
図１８に前軸３を示す。前記前軸３は、合成樹脂（例えば、ポリカーボネート樹脂）の成形体からなる先細円筒状の本体３ａと、該本体３ａ外面に設けられる弾性材料からなる把持部３ｂとからなる。前記把持部３ｂは、２色成形または本体３ａ外面への装着により設けられる。前記前軸３の後端部は縮径され、その外面にはオネジ部３２が形成される。前記前軸３の前端には、前端孔３１が前後方向に貫設される。
【００８３】
図１９乃至図２１に中間軸４を示す。前記中間軸４は、円筒状の合成樹脂（例えば、ポリカーボネート樹脂）の成形体からなる。前記中間軸４の前端部内面には、メネジ部４６が形成される。前記メネジ部４６に前記前軸３のオネジ部３２が螺合可能である。前記中間軸４の後端部には、縮径部４３が一体に形成される。前記中間軸４の後端部側壁には、前端が閉鎖され且つ後端が開放された、前後方向に延びる第１の長孔４４が形成される。さらに、前記縮径部４３の外面には外向突起４５が一体に形成される。前記縮径部４３よりも前方の前記中間軸４の内面には、段部４２が一体に形成される。前記段部４２より前方の前記中間軸４の内面には、カム部４１が一体に形成される。また、前記第１の長孔４４の前端は、前記段部（即ち前記カム部４１の後端）よりも僅かに前方に位置し且つカム部４１のカム歯４１ａよりも後方に位置している。また、前記第１の長孔４４より前方の中間軸４の外面には、前後方向に延びるガイド溝４８が形成される。前記ガイド溝４８に、クリップ体７の玉部７１ａが常時係合し、クリップ体７の前後方向の移動に伴って、前記クリップ体７の玉部７１ａが前記ガイド溝４８に沿って前後方向に移動可能である。前記ガイド溝４８と玉部７１ａによって、ポケット等の被挟持物が強固に挟持される。
【００８４】
図２２乃至図２５に後軸５を示す。前記後軸５は、円筒状の合成樹脂（例えば、ポリカーボネート樹脂）の成形体からなる。前記後軸５の前端部側壁には、前端が開放され且つ後端が閉鎖された、前後方向に延びる第２の長孔５１が形成される。また、前記後軸５の後端には、取付孔５２が前後方向に貫設される。前記取付孔５２に弾性材料からなる摩擦部１０が圧入嵌合される。それにより、前記後軸５の後端外面に摩擦部１０が固定される。また、前記後軸５の内面には、内向突起５３が一体に形成される。前記第２の長孔５１の幅寸法は、前記第１の長孔４４の幅寸法と等しく設定され、それにより、スライド孔２１に沿ってクリップ体７の前後方向のスムーズな移動が可能となる。
【００８５】
図２８にクリップ体７を示す。前記クリップ体７は、前後方向に延びるクリップ本体７１と、該クリップ本体７１の後部に一体に連設される基部７２と、該基部７２と一体に連設され且つ基部７２より前方に延びる軸部７３とからなる主要部７ａと、該軸部７３に取り付けられる円筒体７４とからなる。前記クリップ体７の主要部７ａは、合成樹脂（例えば、ポリカーボネート樹脂）の成形体により得られる。前記クリップ本体７１の裏面（内面）に板状の玉部７１ａが一体に突設される。
【００８６】
前記軸部７３は、大径部７３ｂと、該大径部７３ｂより前方に連設される、該該大径部７３ｂより小さい外径を有する小径部７３ｃとからなる。前記大径部７３ｂの外面には第１の外向突起７３ｄが一体に形成され、前記小径部７３ｃの外面には第２の外向突起７３ｅが一体に形成される。前記第１の外向突起７３ｄ及び第２の外向突起７３ｅは、例えば、環状突起または複数個が周状に分散された分散状突起が挙げられる。
【００８７】
前記クリップ体７の基部７２の外面または軸部７３の外面には、前後方向に延びるリブ７２ａが形成される。前記リブ７２ａが、中間軸４の後端部内面に形成した前後方向に延びる溝４９に係合し、前記リブ７２ａが前記溝４９に沿って前後方向に移動する。それによって、クリップ体７の周方向のぐらつきを抑えることができる。
【００８８】
図２９乃至図３１に円筒体７４を示す。前記円筒体７４は、前記クリップ体７の軸部７３の外面に取り付けられる。前記円筒体７４の前端には、カム歯７４ａが形成される。前記円筒体７４の内部には、内孔が前後方向に貫通され、前記内孔の内面に内向突起７４ｂが一体に形成される。前記円筒体７４は、クリップ体７の軸部７３の外面の第１の外向突起７３ｄと乗り越え係合し、クリップ体７と円筒体７４が一体となって、前後方向に移動可能となる。前記円筒体７４の外面には、複数のガイド突起７４ｃが一体に形成され、前記ガイド突起７４ｃが、カム部４１のカム溝４１ｂに沿って前後方向に移動可能に係合し、それによって、軸筒２内での円筒体７４の回転が阻止される。前記円筒体７４は合成樹脂（例えばポリアセタール樹脂）の成形体により得られる。
【００８９】
図３２乃至図３３に回転部材６を示す。前記回転部材６は、その外面に前後方向に延びる複数本（例えば４本）の突条６１を備え、該突条６１が、カム部４１のカム歯４１ａ及びカム部４１のカム溝４１ｂと係合される。前記回転部材６の内部には前後方向に貫通する内孔が形成される。前記回転部材６の内孔の内面には内向突起６２が形成される。前記回転部材６は合成樹脂（例えばポリアセタール樹脂）の成形体により得られる。
【００９０】
図３５に、ペン先突出状態におけるクリップ体７と回転部材６との係合状態を示す。前記回転部材６の内向突起６２が、クリップ体７の第２の外向突起７３ｅと乗り越え係合する。それにより、クリップ体７と回転部材６の抜け止めがなされる。また、前記回転部材６が前後方向のあそびを有するとともに、回転可能に取り付けられる。前記前後方向のあそび（移動可能量）は、回転部材６の突条６１とカム部４１のカム歯４１ａとの係脱が可能な程度の小さい寸法に設定される。
【００９１】
・クリップ体の組立
前記クリップ体７の組立について説明する。前記中間軸４の第１の長孔４４の後端開放部より、該第１の長孔４４内にクリップ体７の基部７２を挿入するとともに、クリップ体７の筒状の軸部７３を中間軸４内に挿入する。その後、中間軸４の第１の長孔４４と後軸５の第２の長孔５１とを径方向に連通させるように（径方向に重なるように）、前記後軸５の内面を前記中間軸４の縮径部４３の外面に嵌合させるとともに、クリップ体７の基部７２を、第２の長孔５１の前端開放部より、該第２の長孔５１内に挿入する。それにより、前記中間軸４と前記後軸５とが連結され、前記第１の長孔４４と第２の長孔５１とにより、前後方向に延びるスライド孔２１が形成されるとともに、前記スライド孔２１より径方向外方にクリップ体７（クリップ本体７１及び基部７２の一部）が突出され、前記クリップ体７がスライド孔２１に沿って前後方向にスライド可能（前後方向に摺動可能）に構成される。尚、このとき、前記中間軸４の縮径部４３外面の外向突起４５と後軸５の内面の内向突起５３が乗り越え係合される。
【００９２】
前記摩擦部１０が固定された後軸５を中間軸４の後端部に連結することによって、前記摩擦部１０が軸筒２の後端に常時固定される。また、前軸３と中間軸４とが螺合により着脱自在に連結され、それにより、筆記体９を交換可能にできる。
【００９３】
・出没機構
前記出没機構は、回転カム機構を用いたサイドスライド式出没機構である。前記出没機構は、中間軸４内面に形成されたカム部４１と、該カム部４１に係合し且つ筆記体９の後端に当接する回転部材６と、該回転部材６に係合し且つスライド孔２１より径方向外方に突出するクリップ体７と、軸筒２内に収容され且つ筆記体９を後方に付勢する弾発体８（例えば圧縮コイルスプリング）とからなる。本実施の形態の出没機構は、ペン先突出操作及びペン先没入操作のいずれもがクリップ体７を前方にスライド操作するダブルノック式である。
【００９４】
前記カム部４１は、前方に突出する鋸歯状の複数のカム歯４１ａと、該カム歯４１ａ間に形成される、前後方向に延びる複数のカム溝４１ｂとを備える。前記回転部材６は、その外面に長手方向に延びる複数本（例えば４本）の突条６１を備え、該突条６１が、カム部４１のカム歯４１ａ及びカム部４１のカム溝４１ｂと係合される。前記クリップ体７の軸部７３に取り付けられた円筒体７４の前端には、回転部材６の突条６１の後端と係合するカム歯７４ａが一体に形成される。
【００９５】
・ペン先の出没
ペン先没入状態からクリップ体７を前方に、弾発体８による後方付勢に抗してスライド操作すると、クリップ体７の軸部７３に取り付けられた円筒体７４によって回転部材６が前方に押圧され、前記回転部材６の突条６１がカム溝４１ｂに沿って前方に移動するに伴って、前記回転部材６が筆記体９の後端を前方に押圧し、ペン先９１が前端孔３１より外部に突出される。このとき、前記軸部７３に取り付けられた円筒体７４のカム歯７４ａと前記回転部材６の突条６１との当接によって回転部材６がカム部４１に対して一定角度だけ回転する。それにより、前記回転部材６の突条６１がカム部４１のカム歯４１ａに係合され、ペン先突出状態が維持される。
【００９６】
ペン先突出状態からクリップ体７を前方にスライド操作すると、クリップ体７の軸部７３に取り付けられた円筒体７４が回転部材６を前方に押圧し、前記円筒体７４のカム歯７４ａと前記回転部材６の突条６１との当接によって回転部材６がカム部４１に対して一定角度だけ回転する。それによって、前記突条６１とカム部４１のカム歯４１ａとの係合状態が解除され、弾発体８による後方付勢により、前記突条６１がカム部４１のカム溝４１ｂに沿って後方に移動する。前記回転部材６が後方に移動することに伴って、筆記体９が後方に移動し、ペン先没入状態となる。
【００９７】
・摩擦部
本実施の形態において、前記摩擦部１０を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部１０を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部１０は、軸筒２の後端部外面に少なくとも設ければよく、例えば、軸筒２の後端部もしくは後軸５の後端部に弾性材料よりなる摩擦部１０を圧入、係合、螺合、嵌合、接着、２色成形等によって固着する構成、または軸筒２の全体もしくは後軸５の全体が弾性材料により一体に形成される構成が挙げられる。
【００９８】
・熱変色性インキ
本実施の形態において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００９９】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【０１００】
本実施の形態では、図１０に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図１０において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【０１０１】
本実施の形態では、前記熱変色性インキの摩擦部１０の摩擦熱による変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部１０による摩擦熱で容易に変色することができる。
【０１０２】
本実施の形態の熱変色性筆記具１は、前記摩擦部１０を軸筒２の後端外面に固定したことにより、摩擦操作時、摩擦部１０の後方への移動が阻止されるため、摩擦部１０を用いて安定した摩擦操作が可能となる。また、本実施の形態の熱変色性筆記具１は、ペン先出没の操作をするための操作部をクリップ体７に設け、摩擦部１０をクリップ体７（操作部）から独立させたことにより、ペン先９１を出没する際、クリップ体７を操作し、摩擦部１０を操作しないため、摩擦部１０が手垢等で汚れることを回避できる。また、本実施の形態の熱変色性筆記具１は、軸筒２外面にクリップ体７を設けたにもかかわらず、従来の多芯タイプのサイドスライド式の熱変色性筆記具に比べ、突出部分が少なく、外観デザイン上の自由度が増加し、スマートな外観を得ることができる。
【０１０３】
本実施の形態の熱変色性筆記具１は、出没機構が、回転カム機構を用いたサイドスライド式出没機構であり、ペン先突出操作及びペン先没入操作の何れもがクリップ体７を前方にスライド操作するタイプ（いわゆるダブルノック式の出没機構）であるため、操作方法が簡単であり、ユーザーが操作方法を容易に習得できる。
【０１０４】
本実施の形態の熱変色性筆記具１は、後方に開放された第１の長孔４４と前方に開放された第２の長孔５１とによりスライド孔２１を形成したことによって、前記中間軸４と前記後軸５とを連結する際（即ちスライド孔２１を形成する際）に、クリップ体７を第１の長孔４４と第２の長孔５１とに挿入でき、クリップ体７をスライド孔２１に容易に挿入することができ、クリップ体７と軸筒２との容易な挿入組立が可能となる。
【０１０５】
本実施の形態の熱変色性筆記具１は、前記中間軸４の側壁と前記後軸５の側壁とを径方向に重なるように連結し、前記第１の長孔４４と前記第２の長孔５１とを径方向に連通させたことにより、軸筒２全体が不必要に長くなることを回避できる。
【０１０６】
本実施の形態の熱変色性筆記具１は、前記クリップ体７が、前記軸筒２内に収容され且つ前後方向に延びる軸部７３を有し、前記軸部７３と前記回転部材６とが、互いに回転可能且つ互いに前後方向のあそびを有した状態で前後方向に係止されることにより、ペン先突出状態において、クリップ体７の不用意な前後方向の移動が抑えられる。その結果、ペン先突出状態でクリップ体７の近傍を把持しても、安定した摩擦操作が可能となる。
【０１０７】
本実施の形態の熱変色性筆記具１は、前記スライド孔２１より前方の前記軸筒２の外面に、前後方向に延びるガイド溝４８を形成し、前記クリップ体７の前部内面に玉部７１ａを突設し、前記クリップ体７の前後方向の移動に伴って前記ガイド溝４８内を前記玉部７１ａが前後方向に摺動することにより、クリップの挟持性能が向上するとともにクリップ体７の横方向（周方向）のぐらつきを防止できる。
【０１０８】
本実施の形態の熱変色性筆記具１において、前記摩擦部１０が弾性材料からなり、前記摩擦部１０の一部がペン先没入状態のクリップ体７に当接させることもできる。それにより、ペン先突出状態からペン先没入状態にする際、弾発体８の後方付勢により筆記体９及びクリップ体７が後方移動し、クリップ体７と弾性材料よりなる摩擦部１０とが当接するため、その際に筆記体９に加わる衝撃を緩和できる。その結果、筆記体９内のインキの逆流等やペン先９１からの空気の混入を防止できる。
【符号の説明】
【０１０９】
１  熱変色性筆記具
２  軸筒
２１  スライド孔
３  前軸
３１  前端孔
３２  オネジ部
３ａ  本体
３ｂ  把持部
４  中間軸
４１  カム部
４１ａ  カム歯
４１ｂ  カム溝
４２  段部
４３  縮径部
４４  第１の長孔
４５  外向突起
４６  メネジ部
４７  係止突起
４８  ガイド溝
４９  溝
５  後軸
５１  第２の長孔
５２  取付孔
５３  内向突起
６  回転部材
６１  突条
６２  内向突起
７  クリップ体
７１  クリップ本体
７１ａ  玉部
７２  基部
７２ａ  リブ
７３  軸部
７３ａ  カム歯
７３ｂ  大径部
７３ｃ  小径部
７３ｄ  第１の外向突起
７３ｅ  第２の外向突起
７４  円筒体
７４ａ  カム歯
７４ｂ  内向突起
７４ｃ  ガイド突起
７ａ  主要部
８  弾発体
９  筆記体
９１  ペン先
９２  インキ収容管
９３  熱変色性インキ
９４  追従体
９５  尾栓
１０  摩擦部
【図１】
2020192816.tif 000003
【図２】
2020192816.tif 000004
【図３】
2020192816.tif 000005
【図４】
2020192816.tif 000006
【図５】
2020192816.tif 000007
【図６】
2020192816.tif 000008
【図７】
2020192816.tif 000009
【図８】
2020192816.tif 000010
【図９】
2020192816.tif 000011
【図１０】
2020192816.tif 000012
【図１１】
2020192816.tif 000013
【図１２】
2020192816.tif 000014
【図１３】
2020192816.tif 000015
【図１４】
2020192816.tif 000016
【図１５】
2020192816.tif 000017
【図１６】
2020192816.tif 000018
【図１７】
2020192816.tif 000019
【図１８】
2020192816.tif 000020
【図１９】
2020192816.tif 000021
【図２０】
2020192816.tif 000022
【図２１】
2020192816.tif 000023
【図２２】
2020192816.tif 000024
【図２３】
2020192816.tif 000025
【図２４】
2020192816.tif 000026
【図２５】
2020192816.tif 000027
【図２６】
2020192816.tif 000028
【図２７】
2020192816.tif 000029
【図２８】
2020192816.tif 000030
【図２９】
2020192816.tif 000031
【図３０】
2020192816.tif 000032
【図３１】
2020192816.tif 000033
【図３２】
2020192816.tif 000034
【図３３】
2020192816.tif 000035
【図３４】
2020192816.tif 000036
【図３５】
2020192816.tif 000037
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
本願明細書に記載の発明。